(57)【要約】【課題】  複数種類の記録紙を用いて冊子を構成する際に、オペレータの操作性が向上し、煩雑な作業を減らすことができる画像形成システム及び画像編集装置を提供する事。【解決手段】  （１）複数ページからなる画像データを取得する画像取得手段と、前記画像取得手段から取得した画像データの各ページに対応付けられた複数種類の記録紙に関連する情報を取得する対応付け情報取得手段と、前記画像データの各ページを冊子を構成するにあたりページ順となるような順番で割り当てる面付け手段と、前記面付け手段と、前記対応付け情報取得手段による情報に基づいて、面付け後の画像データを形成する記録紙を選択する記録紙選択手段と、前記記録紙選択手段によって選択された記録紙に関連する情報に基づいて、記録紙に形成する画像の位置を制御する画像形成位置制御手段とを有することを特徴とする画像編集装置。【選択図】      図１３
2006279256.tif 000002
【特許請求の範囲】
【請求項１】
複数ページからなる画像データを取得する画像取得手段と、
前記画像取得手段から取得した画像データの各ページに対応付けられた複数種類の記録紙に関連する情報を取得する対応付け情報取得手段と、
前記画像データの各ページを冊子を構成するにあたりページ順となるような順番で割り当てる面付け手段と、
前記面付け手段と、前記対応付け情報取得手段による情報に基づいて、面付け後の画像データを形成する記録紙を選択する記録紙選択手段と、
前記記録紙選択手段によって選択された記録紙に関連する情報に基づいて、記録紙に形成する画像の位置を制御する画像形成位置制御手段と
を有することを特徴とする画像編集装置。
【請求項２】
予め、画像データの各ページに優先順位を与え、前記記録紙選択手段は、前記面付け手段によって割り当てられた各ページの内、前記優先順位の高いページに対応付けられた記録紙に関連する情報に基づいて、面付け後の画像データを形成する記録紙を選択することを特徴とする請求項１に記載の画像編集装置。
【請求項３】
前記記録紙選択手段は、前記面付け手段によって割り当てられた各ページの内、ページ番号の小さいページに対応付けられた記録紙に関連する情報に基づいて、面付け後の画像データを形成する記録紙を選択することを特徴とする請求項２に記載の画像編集装置。
【請求項４】
予め、記録紙に関連する情報に優先順位を与え、前記記録紙選択手段は、前記面付け手段によって割り当てられた各ページの内、前記優先順位の高い記録紙に関連する情報に基づいて、面付け後の画像データを形成する記録紙を選択することを特徴とする請求項１に記載の画像編集装置。
【請求項５】
複数種類の記録紙に関連する情報を取得する記録紙情報取得手段と、
複数ページからなる画像データを入力する画像入力手段と、
前記画像入力手段によって入力された画像データの各ページと前記記録紙情報取得手段から取得した記録紙に関連する情報とを対応付ける対応付け手段と、
複数ページからなる画像データの各ページを冊子を構成するにあたりページ順となるような順番で割り当てる面付け手段と、
前記面付け手段と、前記対応付け手段による情報に基づいて、面付け後の画像データを形成する記録紙を選択する記録紙選択手段と、
前記記録紙選択手段によって選択された記録紙に関連する情報に基づいて、記録紙に形成する画像の位置を制御する画像形成位置制御手段と、
前記画像形成位置制御手段の制御結果に基づいて、記録紙上に画像データを形成する画像形成手段と
を有することを特徴とする画像形成システム。
【請求項６】
予め、画像データの各ページに優先順位を与え、前記記録紙選択手段は、前記面付け手段によって割り当てられた各ページの内、前記優先順位の高いページに対応付けられた記録紙に関連する情報に基づいて、面付け後の画像データを形成する記録紙を選択することを特徴とする請求項５に記載の画像形成システム。
【請求項７】
前記記録紙選択手段は、前記面付け手段によって割り当てられた各ページの内、ページ番号の小さいページに対応付けられた記録紙に関連する情報に基づいて、面付け後の画像データを形成する記録紙を選択することを特徴とする請求項６に記載の画像形成システム。
【請求項８】
予め、記録紙に関連する情報に優先順位を与え、前記記録紙選択手段は、前記面付け手段によって割り当てられた各ページの内、前記優先順位の高い記録紙に関連する情報に基づいて、面付け後の画像データを形成する記録紙を選択することを特徴とする請求項５に記載の画像形成システム。
【請求項９】
記録紙に形成する画像の位置を制御する画像形成プログラムにおいて、
コンピュータを、
複数ページからなる画像データを取得する画像取得手段と、
前記画像取得手段から取得した画像データの各ページに対応付けられた複数種類の記録紙に関連する情報を取得する対応付け情報取得手段と、
前記画像データの各ページを冊子を構成するにあたりページ順となるような順番で割り当てる面付け手段と、
前記面付け手段と、前記対応付け情報取得手段による情報に基づいて、面付け後の画像データを形成する記録紙を選択する記録紙選択手段と、
前記記録紙選択手段によって選択された記録紙に関連する情報に基づいて、記録紙に形成する画像の位置を制御する画像形成位置制御手段
として機能させることを特徴とする画像形成プログラム。
【請求項１０】
予め、画像データの各ページに優先順位を与え、前記記録紙選択手段は、前記面付け手段によって割り当てられた各ページの内、前記優先順位の高いページに対応付けられた記録紙に関連する情報に基づいて、面付け後の画像データを形成する記録紙を選択することを特徴とする請求項９に記載の画像形成プログラム。
【請求項１１】
前記記録紙選択手段は、前記面付け手段によって割り当てられた各ページの内、ページ番号の小さいページに対応付けられた記録紙に関連する情報に基づいて、面付け後の画像データを形成する記録紙を選択することを特徴とする請求項１０に記載の画像形成プログラム。
【請求項１２】
予め、記録紙に関連する情報に優先順位を与え、前記記録紙選択手段は、前記面付け手段によって割り当てられた各ページの内、前記優先順位の高い記録紙に関連する情報に基づいて、面付け後の画像データを形成する記録紙を選択することを特徴とする請求項９に記載の画像形成プログラム。
【発明の詳細な説明】
【技術分野】
【０００１】
本発明は、記録紙に形成される画像の位置を調整することができる画像編集装置及び画像形成システムに関する。具体的には、複数種類の記録紙を用いて冊子を作成する際に、記録紙に形成される画像の位置を調整することができる画像編集装置及び画像形成システム及び画像形成プログラムに関する。
【背景技術】
【０００２】
近年、小ロット印刷の需要が高まるに伴い、原稿画像が形成された複数枚からなる記録紙に２つ折りやＺ折り等の折り加工を行い、冊子を構成することができる画像形成装置が提供されている。このような画像形成装置においては、冊子を構成したときにページ順となるように原稿画像データの各ページを面付けし、面付け後の原稿画像データを記録紙上に形成して折り加工を行った後、構成された冊子の小口（折り目と平行な記録紙端部）を整える為に断裁する必要があるが、原稿画像通りの画像位置で原稿画像を形成してしまうと、記録紙の厚みの影響から、冊子の小口を断裁した分だけ、記録紙上に形成される原稿画像の冊子での位置が記録紙毎に異なってしまう。
【０００３】
そこで、記録紙の厚みを考慮して原稿画像の形成位置を制御することにより、折り加工を行って小口を断裁した際に、構成された冊子の見栄えを良くするという技術が提供されている（例えば特許文献１参照。）。
【特許文献１】特開平７−２８７４２８号公報
【発明の開示】
【発明が解決しようとする課題】
【０００４】
しかし、特許文献１では次に示すような問題が生じる。すなわち、特許文献１において、複数種類の記録紙を用いて冊子を構成する場合、原稿画像を形成する記録紙の種類の入力は、原稿画像データの各ページを面付けした後に行う必要があるので、１枚の記録紙に形成されるように面付けされている複数ページの原稿画像データに対して最適となる記録紙の種類を選択しなければならず、したがって、オペレータのミスを招き、そのため作業に時間がかかるという問題が生じてしまう。また更に、オペレータの作業場所と原稿画像データの各ページを面付けする編集装置の設置場所とが離れている場合、オペレータは、面付けする毎にこの編集装置のある場所に移動して記録紙の種類の入力作業をしなければならず、したがって、作業が煩雑で、そのため印刷時間の低下を招いてしまうという問題が生じてしまう。
【０００５】
そこで、本発明は、上記問題を鑑み、複数種類の記録紙を用いて冊子を構成する際に、オペレータの操作性が向上し、煩雑な作業を減らすことができる画像編集装置及び画像形成システム及び画像形成プログラムの提供を目的とする。
【課題を解決するための手段】
【０００６】
上記課題を解決するために、請求項１に記載の発明は、複数ページからなる画像データを取得する画像取得手段と、前記画像取得手段から取得した画像データの各ページに対応付けられた複数種類の記録紙に関連する情報を取得する対応付け情報取得手段と、前記画像データの各ページを冊子を構成するにあたりページ順となるような順番で割り当てる面付け手段と、前記面付け手段と、前記対応付け情報取得手段による情報に基づいて、面付け後の画像データを形成する記録紙を選択する記録紙選択手段と、前記記録紙選択手段によって選択された記録紙に関連する情報に基づいて、記録紙に形成する画像の位置を制御する画像形成位置制御手段とを有することを特徴とする画像編集装置である。
【０００７】
また、上記課題を解決するために、請求項５に記載の発明は、複数種類の記録紙に関連する情報を取得する記録紙情報取得手段と、複数ページからなる画像データを入力する画像入力手段と、前記画像入力手段によって入力された画像データの各ページと前記記録紙情報取得手段から取得した記録紙に関連する情報とを対応付ける対応付け手段と、複数ページからなる画像データの各ページを冊子を構成するにあたりページ順となるような順番で割り当てる面付け手段と、前記面付け手段と、前記対応付け手段による情報に基づいて、面付け後の画像データを形成する記録紙を選択する記録紙選択手段と、前記記録紙選択手段によって選択された記録紙に関連する情報に基づいて、記録紙に形成する画像の位置を制御する画像形成位置制御手段と、前記画像形成位置制御手段の制御結果に基づいて、記録紙上に画像データを形成する画像形成手段とを有することを特徴とする画像形成システムである。
【０００８】
また、上記課題を解決するために、請求項９に記載の発明は、記録紙に形成する画像の位置を制御する画像形成プログラムにおいて、コンピュータを、複数ページからなる画像データを取得する画像取得手段と、前記画像取得手段から取得した画像データの各ページに対応付けられた複数種類の記録紙に関連する情報を取得する対応付け情報取得手段と、前記画像データの各ページを冊子を構成するにあたりページ順となるような順番で割り当てる面付け手段と、前記面付け手段と、前記対応付け情報取得手段による情報に基づいて、面付け後の画像データを形成する記録紙を選択する記録紙選択手段と、前記記録紙選択手段によって選択された記録紙に関連する情報に基づいて、記録紙に形成する画像の位置を制御する画像形成位置制御手段として機能させることを特徴とする画像形成プログラムである。
【発明の効果】
【０００９】
本発明によれば、複数種類の記録紙を用いて冊子を構成する際に、オペレータの操作性が向上するので、オペレータの作業ミスを減らすことができ、更に、煩雑な作業をする必要がなくなるので、作業時間を短縮することができる。
【発明を実施するための最良の形態】
【００１０】
以下に本発明についての実施の形態を、図面に基づいて説明する。なお、本発明を実施するための最良の形態における説明では、本明細書に用いる用語や断定的な記載により発明の技術的範囲が限定されることはない。
【００１１】
図１は、本発明の一例である画像形成システムをモデル的に示した概略図である。
図示の画像形成システムにおいては、クライアント端末Ａと画像編集装置Ｂと画像形成装置ＣとはＬＡＮ（ローカルエリアネットワーク）で接続されており、クライアント端末Ａによって作成された原稿画像データは画像編集装置Ｂに転送され、画像編集装置Ｂによって編集される。編集された原稿画像データは画像形成装置Ｃに転送され、画像形成装置Ｃによって記録紙上に画像データが形成された後、中綴じ、断裁することで冊子が構成される。
【００１２】
本発明の実施の形態においては、クライアント端末Ａは、クライアント端末Ａを構成する各機器をプログラムに従って動作・制御するＣＰＵ１０、ＣＰＵ１０を機能させるプログラムが格納されているＲＯＭ１１、画像形成装置Ｃに収納されている記録紙の種類情報や後述する対応付けテーブル等が格納されるＲＡＭ１２、作成された原稿画像データを蓄積するハードディスク１３、クライアント端末Ａの動作状態を表示するモニタ１４、画像データの作成や作成された画像データと画像形成装置Ｃに収納されている記録紙の種類情報との対応付け、中綴じ指示や印刷部数等を入力するマウス・キーボードからなる入力装置１５を備えたコンピュータで構成されている。
【００１３】
また、画像編集装置Ｂは、画像編集装置Ｂを構成する各機器をプログラムに従って動作・制御するＣＰＵ２０、ＣＰＵ２０を機能させるプログラムが格納されているＲＯＭ２１、後述する対応付けテーブルや面付けテーブル等が格納されるＲＡＭ２２、クライアント端末Ａから転送された原稿画像データを蓄積するハードディスク２３、画像編集装置Ｂの動作状態を表示するモニタ２４、画像形成装置Ｃに収納されている記録紙の種類情報を入力するマウス・キーボードからなる入力装置２５を備えたコンピュータで構成されている。クライアント端末Ａと画像編集装置Ｂの詳細については後述する。
【００１４】
まず、図２を用いて画像形成装置Ｃについて詳述する。
画像形成装置Ｃは、画像読み取り部４１、画像処理部４２、画像形成部４３、複数の操作ボタンとタッチパネルからなる操作・表示部４４，カセット給紙部４５〜４７、定着装置４８、排紙部４９、自動両面コピー給紙部（ＡＤＵ）５０、記録紙後処理装置（フィニッシャ）ＦＳを備えている。また、画像形成装置Ｃの上部には、自動原稿送り装置ＡＤＦが搭載されている。
【００１５】
自動原稿送り装置ＡＤＦの原稿台上に載置された原稿ｄは矢印方向に搬送され画像読み取り部（走査露光装置）４１の光学系により原稿の片面又は両面の画像が読み取られ、ＣＣＤ画像センサ４１Ａに読み込まれる。
ＣＣＤ画像センサ４１Ａにより光電変換されたアナログ信号は、画像処理部４２において、アナログ処理、Ａ／Ｄ変換、シェーディング補正、画像圧縮処理等を行った後、画像形成部４３に信号を送る。
【００１６】
画像形成部４３においては、感光体ドラムを帯電した後、半導体レーザからの出力光が感光体ドラムを照射し、感光体ドラム上に潜像を形成する。その後、現像器により現像処理が行われ、カセット給紙部４５〜４７から給紙された記録紙に画像が転写される。画像を担持した記録紙は、定着装置４８により定着され、排紙部４９から記録紙後処理装置ＦＳに送り込まれる。或いは搬送路切り替え板４９Ａにより自動両面コピー給紙部５０に送り込まれた片面画像処理済みの記録紙は再び画像形成部４３において、両面画像形成後、排紙部４９から記録紙後処理装置ＦＳに送り込まれる。
【００１７】
排紙部４９から排出された画像形成済みの記録紙は、入り口搬送部７１を通過して切り替えゲートＧ１に到達する。ソレノイド（図示せず）をオフ状態のまま維持することで、記録紙は切り替えゲートＧ１の上方の通路を通過して、搬送ローラ対７２に挟持され、排出ローラ対７３により機外の可動排紙皿８１上に排出、載置される。
【００１８】
切り替えゲートＧ１のソレノイドをオンの状態にすると、切り替えゲートＧ１の先端は反時計方向に回転する。この状態で記録紙は切換ゲートＧ１の下方の通路を通過して、下流の搬送ローラ対７６により挟持、搬送される。記録紙は、更に下流の搬送ローラ対７７により挟持されて送り出されて、傾斜配置されたスタック手段６１の中間スタッカ６１Ａの上方空間に放出され、中間スタッカ６１Ａまたは中間スタッカ６１Ａ上に積載された記録紙の上面に載置される。
【００１９】
最終の記録紙が中間スタッカ３５上に位置決め載置されると、複数枚の記録紙から成る記録紙束にステープル手段６２のステープラによる中綴じ処理を行う。この中綴じ処理により、記録紙束の搬送方向の中央部にステープル針が打ち込まれる。
中綴じ処理された記録紙束は、搬送ローラ対７８に挟持され、ガイド板６３Ａ上を滑落して、所定位置に停止する。
【００２０】
停止状態の記録紙束の搬送方向の中央部、即ち中綴じ位置の斜め下方には、突き出しユニット６３Ｂが設置されている。中綴じ位置の斜め上方には、折りローラ対部６３Ｃと、二つ折り記録紙搬送手段７９が設置されている。図示の斜め上方に直進して突出した突き出しユニット６３Ｂの先端部は、記録紙束の中央部を押し上げ、記録紙束を介して折りローラ対部６３Ｃのニップ部を押し広げて揺動、離間させる。
突き出しユニット６３Ｂの先端部が前記ニップ部を通過後、突き出しユニット６３Ｂが後退し、記録紙束が折りローラ対部６３Ｃにより挟圧されて、記録紙束の中央部に折り目が形成される。この折り目の位置は、前述の中綴じ処理による記録紙束へのステープル針の打ち込み位置と一致する。
【００２１】
折り目を形成された記録紙束の中央部は、折りローラ対部６３Ｃに挟持されて搬送され、折り目が更にしっかりされ、二つ折り記録紙搬送ベルト７９に送り込まれる。
その後、断裁手段６４によって記録紙束の小口が断裁された後、搬送ローラ８０に挟持されて機外の固定排紙皿７５上に排出、載置される。なお、本実施の形態では、記録紙後処理装置ＦＳに断裁手段が備えられているが、冊子を排出後に、別途、汎用の断裁機を用いて冊子を断裁するようにしてもよい。
【００２２】
図３は、本発明の画像形成装置Ｃの制御を行う制御部の構成例を示す制御ブロック図である。なお、図３は、本発明を実施するにあたり必要な構成についてのみ示している。メインＣＰＵ (中央処理装置)３０には、画像形成装置Ｃの筐体の上面等に設けられ、画像形成装置Ｃの動作状態を表示したり各動作の指示をするための操作・表示部４４、原稿画像データに基づいて記録紙上に原稿画像を形成する画像形成部４３、各カセット給紙部を駆動して記録紙を給紙する給紙部駆動機構３５、搬送ローラやソレノイドを駆動する搬送部駆動機構３６、折り手段６３、ＣＰＵを動作させるプログラムが格納されたＲＯＭ３１、ＲＡＭ３２、ＬＡＮを経由して画像編集装置Ｂから送られてきた原稿画像データを受信するネットワークインターフェース部３４、ＡＤＦで読み取った原稿画像データやネットワークインターフェース部３４を介して受信した原稿画像データを蓄積するハードディスク３３が接続されている。
【００２３】
次に、原稿画像データの編集処理について説明する。この例では、予め、画像形成装置Ｃのカセット給紙部４５〜４７のカセット１〜３には、それぞれ普通紙、上質紙、アート紙が収納されており、１６ページからなる原稿画像データをカセット１〜３に収容されている３種の記録紙に割り当てた後、中綴じして冊子を構成することとする。
【００２４】
まず、図１に示すクライアント端末Ａで１６ページ分の原稿画像データが作成される（本発明における画像入力手段）。この原稿画像データは、オペレータがクライアント端末ＡのＲＯＭ１１やハードディスク１３に格納されているアプリケーションソフトを起動させ、入力装置１５のマウス・キーボードを操作することによって作成される。作成された原稿画像データはハードディスク１３に格納される。
【００２５】
原稿画像データの作成が終了し、オペレータがクライアント端末Ａの入力装置１５を用いて中綴じ印刷の指示を行うと、図４に示すように、クライアント端末Ａのモニタ１４の画面中央には、原稿画像の１〜１６ページが縮小サイズで表示される。また、モニタ１４の画面下側には、記録紙の種類情報の一例である「カセット１：普通紙」、「カセット２：上質紙」、「カセット３：アート紙」が表示される。
【００２６】
この記録紙の種類情報は、予め、オペレータが画像形成装置Ｃのカセット１〜３に収納されている記録紙の種類情報を画像編集装置Ｂの入力装置２５を用いて入力し、この記録紙の種類情報をＲＡＭ２２に格納しておき（本発明における記録紙情報取得手段）、オペレータが中綴じ印刷の指示を行うと、画像編集装置ＢのＲＡＭ２２に格納された記録紙の種類情報がクライアント端末Ａに転送され、図４に示すようにクライアント端末Ａのモニタ１４に表示される。
【００２７】
図４に示すように、モニタ１４に原稿画像１〜１６ページと記録紙の種類情報が表示された状態で、オペレータが入力装置１５のマウス・キーボードを用いて原稿画像の各ページと記録紙の種類情報とを対応付ける（本発明における対応付け手段）。例えば、対応付けの方法として、記録紙の種類情報が表示されているタグをドラッグし、原稿画像の各ページにドロップすることでそれぞれを対応付けることができる。
【００２８】
全てのページについての対応付けが終了すると、この対応付けされた情報は、ＲＯＭ１１に格納されているプログラムに基づいて、図５（ａ）に示すような原稿画像データの各ページＮｏ．と記録紙の種類とからなる対応付けテーブルが作成される。この対応付けテーブルはＲＡＭ１２に格納される。また、原稿画像データの各ページＮｏ．と記録紙の種類とではなく、図５（ｂ）に示すように、原稿画像データの各ページＮｏ．とカセットＮｏ．とからなる対応付けテーブルを作成して、ＲＡＭ１２に格納しても良い。そして、オペレータから印刷指示がなされると、原稿画像データと対応付けテーブルとを画像編集装置Ｂに転送する。
【００２９】
原稿画像データは、クライアント端末Ａから順次１ページずつ転送され、画像編集装置Ｂのハードディスク２３に格納される。また、対応付けテーブルはＲＡＭ２２に格納される。ハードディスク２３に格納された原稿画像データは、図６に示すように、冊子を構成するにあたりページ順となるようにＲＯＭ２１に格納されたプログラムに基づいて並べ替えられ、図７に示す記録紙Ｎｏ．とページＮｏ．とからなる面付けテーブルとしてＲＡＭ２２に格納される。
【００３０】
そして、ＲＡＭ２２に格納された面付けテーブルと対応付けテーブルに基づいて、原稿画像データを形成する記録紙が選択される。具体的には、記録紙Ｎｏ．１には、原稿画像データのページＮｏ．１、Ｎｏ．２、Ｎｏ．１５、Ｎｏ．１６が割り当てられているが、この各ページに対応付けられている記録紙の種類情報を対応付けテーブルから取得して、記録紙Ｎｏ．１が選択される。例えば、原稿画像データのページＮｏ．１、Ｎｏ．２、Ｎｏ．１５、Ｎｏ．１６に記録紙の種類情報として普通紙が対応付けられている場合は、記録紙Ｎｏ．１は普通紙と選択される。
【００３１】
また、Ｎｏ．１、Ｎｏ．２、Ｎｏ．１５、Ｎｏ．１６にそれぞれ異なる記録紙の種類情報が対応付けられている場合は、上述したように記録紙Ｎｏ．１の種類を選択できないので、予め、優先順位を設定しておき、この優先順位に基づいて記録紙Ｎｏ．１の種類が選択される。
【００３２】
例えば、原稿画像データのページＮｏ．の小さいものに対応付けられている記録紙の種類情報を優先するように設定しておくことで、各記録紙Ｎｏ．に用いる記録紙の種類を選択することができる。つまり、記録紙Ｎｏ．１には原稿画像データのページＮｏ．１、Ｎｏ．２、Ｎｏ．１５、Ｎｏ．１６が割り付けられているが、この場合、ページＮｏ．１のページ番号が一番小さいので、このページＮｏ．１に対応付けられている記録紙の種類情報に基づいて、記録紙Ｎｏ．１に用いる記録紙が選択される。このように、予め優先順位を設定しておくことで、各記録紙Ｎｏ．に割り付けられたページＮｏ．に対応付けられている記録紙の種類情報が異なる場合でも、自動的に各記録紙Ｎｏ．に用いる記録紙を選択することができる。
【００３３】
また、カセットに収容されている記録紙やカセット自体に優先順位を設定することで、各記録紙Ｎｏ．に用いる記録紙を選択することもできる。例えば、優先順位が高いものから順に、アート紙（カセット３）、上質紙（カセット２）、普通紙（カセット１）となるように優先順位を設定しておくと、原稿画像データのページＮｏ．１には普通紙，Ｎｏ．２には上質紙、Ｎｏ．１５には上質紙、Ｎｏ．１６にはアート紙というように記録紙の種類情報が対応付けられている場合でも、予め、設定された優先順位に基づいて、記録紙Ｎｏ．１はアート紙と選択される。このように、カセットに収容されている記録紙やカセット自体に優先順位を設定することで、各記録紙Ｎｏ．に面付けされたページＮｏ．に対応付けられている記録紙の情報が異なる場合でも、自動的に各記録紙Ｎｏ．に用いる記録紙を選択することができる。
【００３４】
上述したように、高品質の記録紙ほど高い優先順位となるように設定しておくことで、例えば、低品質の記録紙で十分出力可能な文字データと高品質の記録紙で出力の必要な図形データが、同一の記録紙Ｎｏ．として面付けされている場合でも、高品質な記録紙が選択されるので、面付けされた原稿画像データに最適な記録紙の種類を選択することができる。
【００３５】
原稿画像を形成する記録紙の選択が終了すると、予めＲＯＭ２１に格納されている図８に示すような変換テーブルとずらし量を算出するためのプログラムに基づいて各記録紙Ｎｏ．の原稿画像のずらし量が計算され、この原稿画像のずらし量は、図９に示すような記録紙Ｎｏ．と原稿画像のずらし量からなるずらし量テーブルとしてＲＡＭ２２に格納される。
【００３６】
なお、上記原稿画像のずらし量とは、予め基準となる原稿画像の形成位置を設定しておき（図１０（ａ）参照）、この基準となる原稿画像の形成位置のずらし量を０としたときのずれ量Ｓを意味しており（図１０（ｂ）参照）、冊子の中心のページにいくに従って原稿画像データの形成位置を徐々に記録紙中心に近づくように内側にずらす、すなわち、冊子外側のページに対して冊子中心側のページに形成される原稿画像の位置を内側にシフトするためのものである。例えば、冊子を構成したときに一番外側となる記録紙に折り目から２０ｍｍの位置に原稿画像が形成されるように設定されている場合は、この２０ｍｍを基準として変換テーブルに基づいて原稿画像の形成位置が算出される。また、冊子を構成したときに一番内側の１枚目は折り目から５ｍｍ、２枚目は折り目から５．１ｍｍというように、折り目からの距離を用いて原稿画像の形成位置を算出するようにしても良い。この原稿画像の形成位置のシフトは、コピーのページ数が多いときや記録紙が厚いときに、綴じ代付近の原稿画像が隠れないようにするために、また、冊子として仕上がったときに形成される原稿画像の形成位置を記録紙毎に同じにして、見栄えをよくするために行われる。
【００３７】
ずらし量の算出が終了すると、算出されたずらし量が異常であるかどうかが判断される。これは、冊子を構成する記録紙の枚数が多過ぎたり、記録紙の厚みが極端に厚いため、冊子中心側のページに形成される原稿画像の位置が内側に寄りすぎる場合があり、このような場合、冊子を構成したときに原稿画像が綴じ部に隠れてしまったりして見辛くなってしまうので、ずらし量が所定値以上であるかどうかを算出することによってずらし量が異常であるかどうかが判断される。
【００３８】
ずらし量が異常と判断された場合は、警告音を発したり、クライアント端末Ａのモニタ１４に異常である旨を表示したりするようにしてオペレータに異常であることを知らせる。ずらし量が異常でないと判断されると、ＲＡＭ２２に格納されているずらし量テーブルに基づいて原稿画像を形成するように画像形成装置Ｃに指示するとともに、面付けテーブルに従って原稿画像データを画像形成装置Ｃの制御部に順次送信する。
【００３９】
画像形成装置Ｃに送信された原稿画像データは、ずらし量テーブルに基づいて原稿画像の形成位置がシフトされ、上述した手順通りに記録紙上に形成される。そして、最終の記録紙が中間スタッカ６１Ａに積載されると中綴じ処理が行われ、断裁手段６４によって小口が断裁された後、機外の固定排紙皿７５上に排出され、図１１に示すような冊子が構成される。
【００４０】
次に、本発明を実施する画像形成システムの概略動作フローの説明をする。なお、オペレータによってクライアント端末Ａの入力装置１５を用いて作成された原稿画像データはハードディスク２３に格納されている。また、画像形成装置Ｃに収納されている記録紙の種類情報についても、予め、画像編集装置Ｂの入力装置２５を用いてオペレータによって入力され、ＲＡＭ２２に格納されているものとする。
【００４１】
まず、図１２のフローチャートを用いて、クライアント端末ＡのＣＰＵ１０の制御フローについて説明する。オペレータによって入力装置１５を用いて中綴じ印刷の指示がなされると、図１２の制御フローが開始する（ステップ１、以下ステップをＳという。）。オペレータから中綴じ印刷の指示を受けると、クライアント端末ＡのＣＰＵ１０はＲＡＭ２２に格納されている記録紙の種類情報を取得して、ＲＡＭ１２に格納する（Ｓ２）。次に、ＲＡＭ１２に格納されている記録紙の種類情報と原稿画像データをモニタ１４に表示する（Ｓ３）。モニタ１４に表示された記録紙の種類情報と原稿画像データはオペレータによって対応付けられ、この情報をＲＡＭ１２に格納する（Ｓ４）。この対応付け情報と原稿画像データを画像編集装置Ｂに転送して（Ｓ５）、フローが終了する（Ｓ６）。
【００４２】
次に、図１３のフローチャートを用いて、画像編集装置ＢのＣＰＵ２０の制御フローについて説明する。クライアント端末Ａから原稿画像データと対応付け情報が転送されると、図１３のフローが開始する（Ｓ７）。ＣＰＵ２０は、クライアント端末Ａから取得した対応付け情報をＲＡＭ２２に（本発明における対応付け情報取得手段）、原稿画像データをハードディスク２３に格納する（本発明における画像取得手段）（Ｓ８）。原稿画像データはＣＰＵ２０によって冊子を構成するにあたりページ順となるように並び替えられ（本発明における面付け手段）、並び替えられた情報を面付けテーブルとしてＲＡＭ２２に格納する（Ｓ９）。ＲＡＭ２２に格納された面付け情報と対応付け情報に基づいて、原稿画像データを形成する記録紙の種類を選択する（本発明における記録紙選択手段）（Ｓ１０）。このとき、１枚の記録紙に形成されるように面付けされている原稿画像データの各ページに対応付けられている記録紙の種類情報が異なる場合は、上述したように、予め設定された優先順位に基づいて、原稿画像データを形成する記録紙を選択する。選択された記録紙に基づいて原稿画像のずらし量を算出し（本発明における画像形成位置制御手段）、この原稿画像のずらし量をずらし量テーブルとしてＲＡＭ２２に格納する（Ｓ１１）。
【００４３】
格納された原稿画像のずらし量が異常であるかどうかを判断する（Ｓ１２）。原稿画像のずらし量が予め設定された値より大きく、異常であると判断されると（Ｓ１２でＹＥＳ）、ＣＰＵ２０は警告音を鳴らせたり、クライアント端末Ａにずらし量が異常である旨を知らせ、モニタ１４に表示させるよう指示をする（Ｓ１３）。原稿画像のずらし量が予め設定された値より小さく、異常ではないと判断されると（Ｓ１２でＮＯ）、ずらし量テーブルに基づいて原稿画像を形成するように画像形成装置Ｃに指示するとともに、原稿画像データを面付け情報に基づいて１ページずつ画像形成装置Ｃに転送（Ｓ１４）し、フローが終了する（Ｓ１５）。
【００４４】
画像形成装置Ｃでは、記録紙を所定枚数給紙し、ずらし量テーブルに基づいて記録紙上に原稿画像が形成される（本発明における画像形成手段）。全貢の記録紙が中間スタッカ６１Ａに積載されると、ステープル手段６２及び折り手段６３によって中綴じが行われ、形成された冊子の小口を断裁して機外に排出される。そして、前述した画像形成装置Ｃの動作を必要部数分繰り返えして、冊子の形成は終了する。
【００４５】
以上、本発明の実施の形態について説明したが、本発明は以上に示された発明の具体的態様に限定されるものではない。例えば、画像形成装置Ｃに収納されている記録紙の種類情報の入力は、画像編集装置Ｂに備えられた入力装置１２５から入力するのではなく、画像形成装置Ｃの操作・表示部４４やクライアント端末Ａの入力装置１５から入力するようにしても良い。画像形成装置Ｃの操作・表示部４４で入力する場合、面付けテーブルやずらし量テーブルは、画像形成装置Ｃに備えられたＣＰＵ３０を用いて設定するようにし、設定された面付けテーブルやずらし量テーブルを画像形成装置ＣのＲＡＭ３２に記憶するようにすれば、画像編集装置Ｂを必要とせずシステムを構築することができる。
【００４６】
また、画像編集装置Ｂで作成されたずらし量テーブルを画像形成装置Ｃに転送し、画像形成装置Ｃでずらし量テーブルに基づいて記録紙上に原稿画像を形成するようにしたが、画像編集装置Ｂでずらし量テーブルに基づいて画像の形成位置をずらした原稿画像データを作成し、この画像の形成位置がずれた原稿画像データを画像形成装置Ｃに転送するようにすれば、画像形成装置Ｃの処理負荷を軽減することができる。
【００４７】
また、クライアント端末Ａから原稿画像データを入力するのではなく、画像形成装置Ｃに備えられた自動原稿送り装置ＡＤＦで原稿を搬送して画像読み取り部４１で読み取り、そのデータを原稿画像データとしてクライアント端末Ａに転送することもできる。
【００４８】
また、面付けテーブルやずらし量テーブル等を設定するプログラムは、予め、ＲＯＭ２１に格納しておいたが、フレキシブルディスクやＣＤ―ＲＯＭ、光磁気ディスク等のコンピュータが読み取り可能な記録媒体に記憶しておき、ＲＡＭ２２に展開して用いるようにしても良いことは当然である。
【図面の簡単な説明】
【００４９】
【図１】本発明の一例である画像形成システムをモデル的に示した概略図である。
【図２】画像形成装置Ｃをモデル的に示した概略図である。
【図３】画像形成装置Ｃの制御ブロック図である。
【図４】クライアント端末Ａのモニタ１４の表示例である。
【図５】（ａ）ページＮｏ．と記録紙の種類とからなる対応付けテーブルの一例であり、（ｂ）ページＮｏ．とカセットＮｏ．とからなる対応付けテーブルの一例である。
【図６】原稿画像データを面付けしたときの一例である。
【図７】面付けテーブルの一例である。
【図８】原稿画像のずらし量を設定するための変換テーブルの一例である。
【図９】ずらし量テーブルである。
【図１０】（ａ）原稿画像データの形成位置を基準位置に設定したときの一例であり、（ｂ）原稿画像データの形成位置を基準位置からシフトさせた場合の一例である。
【図１１】１６ページからなる原稿画像データを冊子にしたときの模式図である。
【図１２】クライアント端末ＡのＣＰＵ１０の制御フローを示す概略制御フローである。
【図１３】画像編集装置ＢのＣＰＵ２０の制御フローを示す概略制御フローである。
【符号の説明】
【００５０】
Ａ      クライアント端末
Ｂ      画像編集装置
Ｃ      画像形成装置
ＦＳ    記録紙後処理装置
１５    モニタ
２０    ＣＰＵ
２１    ＲＯＭ
２２    ＲＡＭ
２３    ハードディスク
２５    入力装置
４３    画像形成部
４４    操作・表示部
４５    カセット給紙部
４６    カセット給紙部
４７    カセット給紙部
６２    ステープル手段
６３    折り手段
６４    断裁手段
【図１】
2006279256.tif 000003
【図２】
2006279256.tif 000004
【図３】
2006279256.tif 000005
【図４】
2006279256.tif 000006
【図５】
2006279256.tif 000007
【図６】
2006279256.tif 000008
【図７】
2006279256.tif 000009
【図８】
2006279256.tif 000010
【図９】
2006279256.tif 000011
【図１０】
2006279256.tif 000012
【図１１】
2006279256.tif 000013
【図１２】
2006279256.tif 000014
【図１３】
2006279256.tif 000015